(57)【要約】【課題】高速回転時におけるシール機能を十分に維持しながら、主シール部２を構成するリップシール６の低トルク化を実現する。【解決手段】ハウジング３および前記ハウジング３に挿通される回転軸５間に装着されてシール作用をなす密封装置１において、ハウジング３側に固定される金属環４と、回転軸５側に固定されて回転軸５とともに回転し、低速回転時には金属環４に摺動自在に密接するとともに高速回転時には遠心力により金属環４から離れる低トルク仕様とされたリップシール６とを備えた主シール部２を有し、これに加えて、金属環４および回転軸５間に設けられ、高速回転時に主シール部２によるシール作動を補完する作用をなす副シール部１４を有している。【選択図】図１
2005147356.tif 000002
【特許請求の範囲】
【請求項１】
ハウジング（３）および前記ハウジング（３）に挿通される回転軸（５）間に装着されてシール作用をなす密封装置（１）において、
前記ハウジング（３）側に固定される金属環（４）と、前記回転軸（５）側に固定されて前記回転軸（５）とともに回転し、低速回転時には前記金属環（４）に摺動自在に密接するとともに高速回転時には遠心力により前記金属環（４）から離れる低トルク仕様とされたリップシール（６）とを備えた主シール部（２）と、
前記金属環（４）および回転軸（５）間に設けられ、高速回転時に前記主シール部（２）によるシール作動を補完する作用をなす副シール部（１４）とを有することを特徴とする密封装置。
【請求項２】
請求項１の密封装置において、
副シール部（１４）は、金属環（４）と回転軸（５）または前記回転軸（５）に固定される部品（１６）との間に設定される非接触のラビリンス構造（１５）であることを特徴とする密封装置。
【請求項３】
請求項１の密封装置において、
副シール部（１４）は、金属環（４）に支持されて回転軸（５）または前記回転軸（５）に固定される部品（７）に常時摺動自在に密接するリップシール（２３）であることを特徴とする密封装置。
【発明の詳細な説明】
【技術分野】
【０００１】
本発明は、密封技術に係る密封装置に関し、更に詳しくは、主シール部を構成するリップシールの低トルク化を実現する密封装置に関するものである。本発明の密封装置は例えば、自動車関連分野において用いられ、またはその他の一般産業機械等において用いられる。
【背景技術】
【０００２】
図４に示すように、例えば自動車等車両におけるドライブシャフト５１の軸受機構５２では、軸受５３を潤滑する潤滑油（図示せず）を密封するためにハウジング（軸受ハウジング）５４および回転軸（ドライブシャフト）５１間に密封装置５５が装着されている（特許文献１参照）。
【０００３】
しかしながら、この従来技術では、密封装置５５の具体的構成要素をなすリップシール（オイルシール）５６がハウジング５４側に固定されて常時回転軸５１に対して摺動自在に密接する構造とされており、リップシール５６の耐久性を高めるためのリップシール５６の低トルク化については専らこれを、リップシール５６の小断面化による低緊迫力化（低面圧化）の手法で対応している。
【０００４】
したがって、この従来技術によると、低温時におけるリップシール５６の追随性が低下したり高速回転時におけるシール機能が不安定となったりする不都合があり、また小断面化における面圧低減については制約（限界）があるため、密封機構の根本的な見直しが必要とされている。
【０００５】
また、新しい機構でのシールを検討するには、組付け性や軸移動等を含む制約が多く、これらの条件についてもシール設計として考慮する必要がある。
【０００６】
【特許文献１】実開昭６２−６２０６９号公報（第１図）
【発明の開示】
【発明が解決しようとする課題】
【０００７】
本発明は以上の点に鑑みて、シール機能、特に高速回転時におけるシール機能を十分に維持しながら、主シール部を構成するリップシールの低トルク化を実現することができる密封装置を提供することを目的とする。
【課題を解決するための手段】
【０００８】
上記目的を達成するため、本発明の請求項１による密封装置は、ハウジングおよび前記ハウジングに挿通される回転軸間に装着されてシール作用をなす密封装置において、前記ハウジング側に固定される金属環と、前記回転軸側に固定されて前記回転軸とともに回転し、低速回転時には前記金属環に摺動自在に密接するとともに高速回転時には遠心力により前記金属環から離れる低トルク仕様とされたリップシールとを備えた主シール部と、前記金属環および回転軸間に設けられ、高速回転時に前記主シール部によるシール作動を補完する作用をなす副シール部とを有することを特徴とするものである。
【０００９】
また、本発明の請求項２による密封装置は、上記した請求項１の密封装置において、副シール部が、金属環と回転軸または前記回転軸に固定される部品との間に設定される非接触のラビリンス構造であることを特徴とするものである。
【００１０】
また、本発明の請求項３による密封装置は、上記した請求項１の密封装置において、副シール部が、金属環に支持されて回転軸または前記回転軸に固定される部品に常時摺動自在に密接するリップシールであることを特徴とするものである。
【００１１】
上記構成を備えた本発明の請求項１による密封装置においては、リップシールがハウジング側ではなく回転軸側に固定されて回転軸とともに回転するものとされているために、軸回転時に発生する遠心力を利用してリップシールの低トルク化を実現することが可能とされている。すなわちリップシールは、軸の低速回転時には、相手摺動部品である金属環に接触した状態であるが、比較的小さいながらも遠心力が作用するため、この遠心力によって接触面圧が低減され、低トルク化が実現される。また軸の高速回転時には、比較的大きな遠心力が作用するため、この遠心力によって金属環から離れ、一層の低トルク化が実現される。但し、リップシールが金属環から離れたままではシール機能に支障を生じる虞があることから本発明では、高速回転時にリップシール（主シール部）によるシール作動の補完作用をなす副シール部を併せ設けることにした。
【００１２】
この副シール部の具体例としては、金属環と回転軸または前記回転軸に固定される部品との間に設定される非接触のラビリンス構造（請求項２）や、金属環に支持されて回転軸または前記回転軸に固定される部品に常時摺動自在に密接するリップシール（請求項３）等が好適である。
【発明の効果】
【００１３】
本発明は、以下の効果を奏する。
【００１４】
すなわち、上記構成を備えた本発明の請求項１ないし３による密封装置においては、主シール部を構成するリップシールがハウジング側ではなく回転軸側に固定されて回転軸とともに回転するものとされ、かつ低速回転時には金属環に摺動自在に密接するとともに高速回転時には遠心力により金属環から離れる低トルク仕様のものとされているために、軸回転時に発生する遠心力を利用することにより、リップシールの低トルク化を実現することが可能とされている。したがって、リップシールが早期に摺動摩耗するのを防止し、その耐久性を向上させることができる。また、高速回転時に主シール部によるシール作動を補完する作用をなす副シール部が併せ設けられているために、リップシールが金属環から離れることになる高速回転時においても十分なシール機能を発揮することができる。したがって、これらのことから所期の目的どおり、高速回転時におけるシール機能を維持しながらかつリップシールの低トルク化を実現することができる密封装置を提供することができる。
【発明を実施するための最良の形態】
【００１５】
尚、本発明には、以下の実施形態が含まれる。
【００１６】
１）基本的内容として、シール回転タイプで低トルク化を成立させる。シール回転の機構とし、低回転時にはゴム部リップでシール性を確保し、高回転時には遠心力でリップが開くので低トルク仕様となるが、シール性が低下する部分を、軸と金属環とのラビリンス構造または副リップにてカバーする。
２）軸側にシールを組み込むとともにハウジング側に相手摺動部としての金属環を嵌合することによりシール回転方式とし、遠心力での面圧低下（リップ浮き上がり）によりシールの低トルク化を実現する。更に、軸側に溝付きスリンガーまたは溝付き軸を使用することにより回転時にシールへ至る油の量をコントロールし、高回転時でも高いシール性と低トルクとを両立させる。
【００１７】
３）付随的内容として、軸側にシールを嵌合するとともにハウジング側に金属環を嵌合することによりリップの向きをリップめくれが発生しにくい向きとし、組込み性を向上させる（詳細後述）。
４）同じく付随的内容として、軸側にデフレクタを設けることにより耐泥水性とシールガード性とを持たせる。また、このデフレクタと金属環との間にラビリンス構造を設けることにより耐泥水性を一層向上させる（詳細後述）。
５）同じく付随的内容として、ハウジング側に嵌合する金属環に摺動部よりも大きなストレート部を設けることにより軸のスラスト方向移動に対応させる（詳細後述）。
【実施例】
【００１８】
つぎに本発明の実施例を図面にしたがって説明する。
【００１９】
第一実施例・・・
図１は、本発明の第一実施例に係る密封装置１の装着状態を示す半裁断面図を示している。当該実施例に係る密封装置１は、自動車等車両におけるドライブシャフトの軸受機構において、軸受を潤滑する機構内部Ａの潤滑油が機構外部Ｂへ漏洩しないようにこれをシールするとともに、機構外部Ｂの泥水やダスト等の異物が機構内部Ａへ侵入しないようにこれをシールするものであって、以下のように構成されている。
【００２０】
すなわち先ず、当該密封装置１は、上記機構内部Ａの潤滑油をシールするための主シール部２を有しており、この主シール部２が、ハウジング３側に嵌着された金属環４と、回転軸５側に嵌着されたリップシール６との組み合わせによって構成されている。
【００２１】
金属環４は、ハウジング３の内周側に嵌着された外周筒部４ａと、その軸方向一端部（図上右端部、軸受内部Ａ側であることから以下「軸方向内端部」とも称する）から径方向内方へ向けて一体成形された環状の平面部４ｂと、その内周端部から軸方向他端側（図上左端側、軸受外部Ｂ側であることから以下「軸方向外方」とも称する）へ向けて一体成形された内周筒部４ｃと、外周筒部４ａの軸方向他端部（図上左端部、軸受外部Ｂ側であることから以下「軸方向外端部」とも称する）から径方向外方へ向けて一体成形された平面状のフランジ部４ｄと、その外周端部から斜め外方へ向けて一体成形された環状のテーパ部４ｅとを一体に有しており、板金のプレス成形等によって製作されている。
【００２２】
リップシール６は、回転軸５の外周側に嵌着された金属製の取付環７を有しており、この取付環７の先端部にゴム状弾性材製のリップシール本体８が取り付けられている。取付環７は、回転軸５の大径部５ａの外周側に嵌着された筒状部７ａと、その軸方向内端部から径方向内方へ向けて一体成形された平面状のフランジ部７ｂとを一体に有しており、このフランジ部７ｂの内周端部にリップシール本体８が加硫接着されている。
【００２３】
リップシール本体８は、フランジ部７ｂの内周端部から径方向内方であってかつ軸方向外方へ向けて斜めに設けられた主シールリップ９と、その軸方向内方に同じ向きに設けられた副シールリップ１０とを一体に有しており、両シールリップ９，１０はそれぞれ金属環４における内周筒部４ｃの外周面に摺動自在に密接して潤滑油をシールするように構成されている。主シールリップ９には接触面圧を調整するためのガータースプリング１１が取り付けられている。また、この主シールリップ９は、軸５の低速回転時には、金属環４における内周筒部４ｃの外周面に摺動自在に密接しているが、軸５が高速回転すると、これに伴って発生する大きな遠心力によって径方向外方へ向けて弾性的に拡開動作し、金属環４における内周筒部４ｃの外周面から離れるように構成されており、これにより金属環４の内周筒部４ｃに対する接触面圧が比較的小さな低トルク仕様に設定されている。
【００２４】
取付環７における筒状部７ａないしフランジ部７ｂの外周側には、径方向外方であってかつ軸方向外方へ向けて斜めにゴム状弾性材製のダストリップ１２が設けられている。このダストリップ１２は、金属環４における外周筒部４ａの内周面に常時摺動自在に密接し、機構外部Ｂの異物が機構内部Ａへ侵入しないようにこれをシールする。このダストリップ１２はリップシール本体８と一体に成形されている。また、取付環７における筒状部７ａの外周面には、ダストリップ１２と一体になるゴム状弾性材製の皮膜部１３が被着されており、外部異物とくに泥水から取付環７を保護している。
【００２５】
また、当該密封装置１は、高速回転時に主シール部２によるシール作動を補完する作用をなすための副シール部１４を有しており、この副シール部１４が、上記金属環４と、回転軸５側に固定されたスリンガー１６との組み合わせによって構成されている。すなわち、上記金属環４の内周側において回転軸５の小径部５ｂの外周側に筒状を呈するスリンガー１６が嵌着されており、このスリンガー１６の外周面と金属環４における内周筒部４ｃの内周面との間に微小な径方向間隙よりなる間隙部１７が設けられている。またスリンガー１６の外周面には、軸５の回転時にポンピング作用によって潤滑油を機構内部Ａ側へ押し戻す作用をなすスパイラル状の溝部１８が設けられており、この間隙部１７および溝部１８等によって非接触のラビリンス構造（ラビリンスシール構造）１５が構成されている。
【００２６】
また、当該密封装置１は併せて、当該密封装置１を泥水や飛び石等から保護するためのデフレクタ１９を有しており、このデフレクタ１９がリップシール６とともに回転軸５の外周側に嵌着されている。デフレクタ１９は、回転軸５における大径部５ａの外周側であって更にリップシール６における取付環７の筒状部７ａの外周側に嵌着された筒状部１９ａと、その軸方向内端側から径方向外方へ向けて一体成形されたフランジ部１９ｂとを一体に有しており、板金のプレス成形等によって製作されている。また、このデフレクタ１９におけるフランジ部１９ａの外周端部と金属環４におけるテーパ部４ｅとの間には微小間隙よりなるラビリンス構造（ラビリンスシール構造）２０がここにも設けられており、このラビリンス構造２０によって外部異物が浸入しにくく構成されている。
【００２７】
上記構成の密封装置１は、上記したように自動車等車両におけるドライブシャフトの軸受機構において、軸受を潤滑する機構内部Ａの潤滑油が機構外部Ｂへ漏洩しないようにこれをシールするとともに、機構外部Ｂの泥水やダスト等の異物が機構内部Ａへ侵入しないようにこれをシールするものであって、上記構成により以下の作用効果を奏する点に特徴を有している。
【００２８】
すなわち先ず、上記構成の密封装置１においては、潤滑油をシールするための主シール部２を構成するリップシール６がハウジング３側ではなく回転軸５側に固定されて回転軸５とともに回転するように配置され、かつ低速回転時には金属環４における内周筒部４ｃの外周面に摺動自在に密接するとともに高速回転時には遠心力により金属環４における内周筒部４ｃの外周面から離れるように構成されているために、このリップシール６はその低トルク化が実現されている。すなわちリップシール６は、軸５の低速回転時には、相手摺動部品である金属環４における内周筒部４ｃの外周面に接触した状態であるが、比較的小さいながらも遠心力が作用するために、この遠心力によって接触面圧が低減され、低トルク化が実現される。リップシール６は金属環４における内周筒部４ｃの外周面と摺動するが、低速回転であることからそれほど大きなトルクが発生することはない。また軸５の高速回転時には、比較的大きな遠心力が作用するために、この遠心力によって金属環４における内周筒部４ｃの外周面から離れ、一層の低トルク化が実現される。したがって、リップシール６が高トルク条件下で摺動作動して早期に摺動摩耗すると云った事態が発生するのを未然に防止することができ、よってリップシール６の耐久性を向上させることができる。また、高速回転時に主シール部２によるシール作動を補完する作用をなすためのラビリンス構造１５よりなる副シール部１４が併せ設けられているために、主シール部２をなすリップシール６が金属環４から離れる高速回転時においても十分なシール機能を発揮することができる。したがって、これらのことから所期の目的どおり、高速回転時におけるシール機能を維持しながらリップシール６の低トルク化を実現し、その耐久性を向上させることができる密封装置１を提供することができる。
【００２９】
また、上記構成の密封装置１においては併せて、金属環４における外周筒部４ａの内周面に摺動自在に密接するダストリップ１２が設けられ、更にその外側にもデフレクタ１９および金属環４の組み合わせよりなるラビリンス構造２０が設けられているために、これらによっても外部異物が浸入するのを有効に防止することができる。
【００３０】
また、上記構成の密封装置１においては併せて、図上矢印で示すようにリップシール６を金属環４に組み込むに際して、リップシール６の向き（軸方向の向き）がリップめくれが発生しにくい向きとされている。ダストリップ１２についても同様である。したがって、これらのことから、組込み作業性に優れた密封装置１を提供することができる。
【００３１】
更にまた、上記構成の密封装置１においては併せて、図示するように金属環４における内周筒部４ｃの軸方向長さがリップシール６におけるリップシール本体８の軸方向長さと比較して十分に大きく形成されている。したがって、当該密封装置１のシール作動時に回転軸５がハウジング３に対して何らかの原因により軸方向移動する事態が発生してもシール機能を維持することができる密封装置１を提供することができる。
【００３２】
第二実施例・・・
図２は、本発明の第二実施例に係る密封装置１の装着状態を示す半裁断面図を示している。当該実施例に係る密封装置１は、自動車等車両におけるドライブシャフトの軸受機構において、軸受を潤滑する機構内部Ａの潤滑油が機構外部Ｂへ漏洩しないようにこれをシールし、また副次的に、機構外部Ｂの泥水やダスト等の異物が機構内部Ａへ侵入しないようにこれをシールするものであって、以下のように構成されている。
【００３３】
すなわち先ず、当該密封装置１は、上記機構内部Ａの潤滑油をシールするための主シール部２を有しており、この主シール部２が、ハウジング３側に嵌着された金属環４と、回転軸５側に嵌着されたリップシール６との組み合わせによって構成されている。
【００３４】
金属環４は、その表面に被着されたゴム状弾性材製の外周シール部２１を介してハウジング３の内周側に嵌着された筒部４ａと、その軸方向内端部から径方向内方へ向けて一体成形された平面状のフランジ部４ｆとを一体に有しており、板金のプレス成形等によって製作されている。
【００３５】
リップシール６は、回転軸５の外周側に嵌着された金属製の取付環７を有しており、この取付環７の先端部にゴム状弾性材製のリップシール本体８が取り付けられている。取付環７は、回転軸５の外周側に嵌着された筒状部７ａと、その軸方向内端部から径方向外方へ向けて一体成形された平面状のフランジ部７ｂとを一体に有しており、このフランジ部７ｂの外周端部にリップシール本体８が加硫接着されている。
【００３６】
リップシール本体８は、フランジ部７ｂの外周端部から径方向外方であってかつ軸方向外方へ向けて斜めに設けられたシールリップ９を有しており、このシールリップ９が金属環４におけるフランジ部４ｆの端面（内側端面）に摺動自在に密接して潤滑油をシールするように構成されている。また、このシールリップ９は、軸５の低速回転時には、金属環４におけるフランジ部４ｆの端面に摺動自在に密接しているが、軸５が高速回転すると、これに伴って発生する大きな遠心力によって斜め外方へ向けて弾性的に拡開動作し、金属環４におけるフランジ部４ｆの端面から離れるように構成されており、これにより金属環４のフランジ部４ｆに対する接触面圧が比較的小さな低トルク仕様に設定されている。
【００３７】
また、図３に示すように、このシールリップ９の金属環側端面には、軸５の高速回転時、シールリップ９が金属環４におけるフランジ部４ｆの端面から離れたときにポンピング作用によって潤滑油を機構内部Ａ側へ押し戻す作用をなすスパイラル状のリブ２７が設けられており、このリブ２７によって高速回転時におけるシール作動が補完されるように構成されている。リブ２７は、軸５の停止時および低速回転時におけるシールリップ９の金属環４への接触を妨げることがないようシールリップ９の先端部近傍には設けられておらず、先端部近傍以外のシールリップ９の根元側に設けられている。また、このリブ２７は、図３（Ａ）に示すように直線状のものが複数等配状に並べられているが、その形状は図３（Ｂ）（Ｃ）または（Ｄ）に示すように円弧状または三日月状等であっても良く、特に限定されるものではない。
【００３８】
また、取付環７におけるフランジ部７ｂの端面（内側端面）には、回転軸５の周面に常時接触するゴム状弾性材製の内周シール部２２が設けられている。この内周シール部２２はリップシール本体８の一部をなし、シールリップ９と一体に成形されている。
【００３９】
また、当該密封装置１は、高速回転時に主シール部２によるシール作動を補完する作用をなすための副シール部１４を有しており、この副シール部１４が、上記金属環４に支持されて上記取付環７に常時摺動自在に密接するリップシール２３によって構成されている。このリップシール２３は、上記金属環４におけるフランジ部４ｆの内周端部に加硫接着されたシールリップ２４を有しており、このシールリップ２４は軸方向２段構造のリップ端２５，２６を有しており、この２段構造のリップ端２５，２６がそれぞれ上記取付環７における筒状部７ａの外周面に常時摺動自在に密接する構成とされている。
【００４０】
上記構成の密封装置１は、上記したように自動車等車両におけるドライブシャフトの軸受機構において、軸受を潤滑する機構内部Ａの潤滑油が機構外部Ｂへ漏洩しないようにこれをシールし、また副次的に、機構外部Ｂの泥水やダスト等の異物が機構内部Ａへ侵入しないようにこれをシールするものであって、上記構成により以下の作用効果を奏する点に特徴を有している。
【００４１】
すなわち、上記構成の密封装置１においては、潤滑油をシールするための主シール部２を構成するリップシール６がハウジング３側ではなく回転軸５側に固定されて回転軸５とともに回転するように配置され、かつ軸５の高速回転時に遠心力によって斜め外方へ向けて弾性的に拡開動作して金属環４におけるフランジ部４ｆの端面から離れるように構成されているために、このリップシール６はその低トルク化が実現されている。軸５の低速回転時、このリップシール６は金属環４におけるフランジ部４ｆの端面と摺動するが、低速回転であることからそれほど大きなトルクが発生することはない。したがって、リップシール６が高トルク条件下で摺動作動して早期に摺動摩耗すると云った事態が発生するのを未然に防止することができ、よってリップシール６の耐久性を向上させることができる。また、高速回転時に主シール部２によるシール作動を補完する作用をなすためのリップシール２３よりなる副シール部１４が併せ設けられているために、主シール部２をなすリップシール６が金属環４から離れる高速回転時においても十分なシール機能を発揮することができる。したがって、これらのことから所期の目的どおり、高速回転時におけるシール機能を維持しながらリップシール６の低トルク化を実現し、その耐久性を向上させることができる密封装置１を提供することができる。尚、副シール部１４のリップシール２３については、これが副次的にシール作用をなすものであることから、取付環７に対する接触面圧を比較的小さく設定することが可能とされており、よってその耐久性を確保することが可能とされている。
【００４２】
また、上記構成の密封装置１には、シールリップ９の金属環側端面にスパイラル状のリブ２７が設けられているので、このリブ２７によっても高速回転時における主シール部２のシール作動を補完することができる。
【００４３】
上記第一または第二実施例に係る密封装置１はそれぞれ、本発明の技術的範疇においてその内容を変更することが可能である。例えば、第一実施例では、副シール部１４が金属環４とスリンガー１６との組み合わせによって構成されているが、金属環４と回転軸５との組み合わせとしても良い。この場合は、回転軸５の外周面に溝部１８が形成される。また同様に、第二実施例におけるリップシール２３を回転軸５の外周面に摺動自在に密接させるようにしても良い。
【図面の簡単な説明】
【００４４】
【図１】本発明の第一実施例に係る密封装置の装着状態を示す断面図
【図２】本発明の第二実施例に係る密封装置の装着状態を示す断面図
【図３】（Ａ）（Ｂ）（Ｃ）および（Ｄ）ともそれぞれスパイラル状リブの説明図
【図４】従来例に係る密封装置の装着状態を示す断面図
【符号の説明】
【００４５】
１  密封装置
２  主シール部
３  ハウジング
４  金属環
４ａ  外周筒部
４ｂ  平面部
４ｃ  内周筒部
４ｄ，４ｆ，７ｂ  フランジ部
４ｅ  テーパ部
５  回転軸
５ａ  大径部
５ｂ  小径部
６，２３  リップシール
７  取付環
７ａ  筒状部
８  リップシール本体
９  主シールリップ
１０  副シールリップ
１１  ガータースプリング
１２  ダストリップ
１３  皮膜部
１４  副シール部
１５，２０  ラビリンス構造
１６  スリンガー
１７  間隙部
１８  溝部
１９  デフレクタ
２１  外周シール部
２２  内周シール部
２５，２６  リップ端
２７  リブ
Ａ  軸受機構内部
Ｂ  軸受機構外部
【図１】
2005147356.tif 000003
【図２】
2005147356.tif 000004
【図３】
2005147356.tif 000005
【図４】
2005147356.tif 000006
【手続補正書】
【提出日】平成15年12月1日(2003.12.1)
【手続補正１】
【補正対象書類名】図面
【補正対象項目名】全図
【補正方法】変更
【補正の内容】
【図１】
2005147356.tif 000007
【図２】
2005147356.tif 000008
【図３】
2005147356.tif 000009
【図４】
2005147356.tif 000010